(57)【要約】      （修正有）【課題】目薬利用者が、目薬液点眼時に瞼を閉じてしまい点滴が出来なくなってしまう事のない様に、開いた瞼を押さえる事の出来る、点眼補助具付きの目薬容器にする事。【解決の手段】目薬容器Ａに装着して使う点眼補助具において、合成樹脂材或いはエラストマー材等で成る細長箱状の瞼当て体１の底部２の中央に位置し、目薬容器ＡのキャップネジＢに噛み合って装着する筒状で、ネジ部３ａ付きでなる連結部３と、更に、当該細長箱状の瞼当て体１の内面１ａにやや固めに差し込み係合し、目薬容器Ａの注口Ｃを密閉する栓４ａ付きのキャップ体４を具備した目薬点眼補助具にする。また、前記する瞼当て体１の内面１ａに係合し、目薬容器Ａの注口Ｃを密閉する栓４ａ付きのキャップ体４を廃止し、瞼当て体１の連結部３の端部３ｂに露出する目薬容器ＡのキャップネジＢに着脱自在に噛み合って注口Ｃを密閉する、栓４ａ付きのキャップ体４を具備した目薬点眼補助具とする。【選択図】図１
0003140911.tif 000002
【実用新案登録請求の範囲】
【請求項１】
目薬容器Ａに装着して使う点眼補助具において、合成樹脂材或いはエラストマー材等で成る細長箱状の瞼当て体１の底部２の中央に位置し、目薬容器ＡのキャップネジＢに噛み合って装着する筒状で、ネジ部３ａ付きでなる連結部３と、更に、当該細長箱状の瞼当て体１の内面１ａにやや固めに差し込み係合し、目薬容器Ａの注口Ｃを密閉する栓４ａ付きのキャップ体４を具備した事を特徴とする目薬点眼補助具。
【請求項２】
前記する瞼当て体１の内面１ａに係合し、目薬容器Ａの注口Ｃを密閉する栓４ａ付きのキャップ体４を廃止し、瞼当て体１の連結部３の端部３ｂに露出する目薬容器ＡのキャップネジＢに着脱自在に噛み合って注口Ｃを密閉する、栓４０ａ付きのキャップ体４０を具備した事を特徴とする請求項１記載の目薬点眼補助具。
【考案の詳細な説明】
【技術分野】
【０００１】  この考案は、目薬の利用者が眼球に目薬液を注すのに、瞼に垂らしたり、付け直したりする事の無い様、正確に眼球に点滴する為に、目薬を注す最中に、瞼のまばたきや開いた瞼が、点眼間際に閉じたりする事の無い様に、目薬容器に設けた瞼当て体を開いた瞼の周りを軽くおさえ込み、其のままの状態で眼球に的を得て、目薬液の点滴を正確に出来る様にした、目薬点眼補助具の改良に関する。
【背景技術】
【０００２】  此の種の従来技術で、例えば、考案名は目薬注し補助具として、実願２００５−５３４５が開示されている。即ち、目薬容器の先端に開口する目薬供給口に、着脱自在でなる本体と一体化する筒状で、其の端部に瞼に当てる為の、２本の折り曲げられた形状の弁形状部で構成された、目薬注し補助具である。即ち、目薬容器の供給口に差し込まれる本体の中心には、差し込まれる孔が延長された貫通孔で構成し、この孔を通過して目薬液が眼球に点滴される。勿論のこと、弁形状部は開いた瞼に当て、瞼が閉じないように固定する構成である。
【考案の開示】
【考案が解決しようとする課題】
【０００３】  しかしながら上記する従来技術の場合、目薬利用者が眼球に目薬液を点眼するのに、目薬容器の先端に設けた目薬供給口を封印するための、ねじ式キャップ体を外してから、目薬注し補助具の本体部に設けた貫通孔を目薬供給口に差し込んで使用し、点眼を終えた後に目薬注し補助具を目薬供給口から外さない限り、外したねじ式キャップ体を閉められ無い為、其のままでは目薬液がこぼれたり、開口部に異物がついたりで、操作に手間がかかる等の課題ガ有る。【０００４】  このように使う度に、キャップ体を外し、補助具を差し込み、補助具を取り外し、キャップ体を閉める等の様に、幾つもの使用手順が必要となる為、使用に不便だけでなく、点眼の後にキャップ体の閉め忘れや、或いは、目薬容器と補助具が別々に携帯したり、家庭での保管にバラバラに収納するなどで補助具のしまい忘れや、紛失してしまう等の課題が残る。【０００５】  そしてまた、利用者が目薬を点眼するのに、目薬液の通過する補助具の貫通孔が目薬供給口部の外形に順ずる孔の太さになることで極めて細く、瞼に補助具が垂直に当てない限り、自然落下する点滴が貫通孔に垂れるなどで、眼球への的から外れる等で、点眼に難がある等の課題が残る。
【課題を解決するための手段】
【０００６】  この考案は、かかる課題を解決する為に、請求項１での考案は、図１で述べる様に目薬容器Ａに装着して使う点眼補助具において、合成樹脂材或いはエラストマー材等で成る細長箱状の瞼当て体１の底部２の中央に位置し、目薬容器ＡのキャップネジＢに係合し、装着する筒状でネジ３ａ付きでなる連結部３と、更に、当該細長箱状の瞼当て体１の内面１ａにやや固めに差し込み、目薬容器Ａの注口Ｃを密閉する栓４ａ付きでなるキャップ体４を具備する構成とする。【０００７】  また、請求口２での考案は、図４で述べる様に前記する瞼当て体１の内径１ａに係合し、目薬容器Ａの注口Ｃを密閉する栓４ａ付きキャップ体４を廃止し、瞼当て体１の連結部３の端部３ｂに露出する目薬容器ＡのキャップネジＢに噛み合って注口Ｃを密閉する栓４０ａ付きでなるキャップ体４０を具備した構成とする。
【考案の効果】
【０００８】  本考案は、上述に通り構成作用するので、次ぎの優れた効果を奏する。即ち、目薬容器に目薬点眼補助具を装着したままで、キャップ体の閉め外しが出来る為、目薬容器の目薬液が全部使い切り終わるまでに、其の都度点眼補助具を着脱する事無く、点眼の出来る利便性の高い目薬点眼補助具を提供出来る。【０００９】  このように、点眼時に目薬のキャップ体を閉め外しだけでの操作で素早い点眼が出来る。また、テーブル面にキャップ体を接地して保管出来、取り置き便利で、キャップ体の置き忘れ等することの無い、目薬点眼補助具を提供出来る。【００１０】  そしてまた、目薬容器に装着する点眼補助具の連結部の開口部孔が太い事で、利用者の瞼が傾いて、其の瞼に当てる瞼当て体が少々傾斜しても、点滴が連結部の開口部孔に垂れる事無く、眼球に点滴の出来る目薬点眼補助具を提供出来る。
【考案を実姉するための最良の形態】
【００１１】  以下に図示の実施例に基づいて本考案を更に詳細に説明する。図１は第１実施例で一部断面での、全体を示しての分解斜視図で、図２は同じ第１実施例で一部断面での点眼に使用形態での斜視図で、図３は同じ第１実施例で一部断面での点眼使用例を示す正面図である。これらのそれぞれの図面で示す様に、目薬液の入った目薬容器Ａの注口Ｃ部に切られたキャップネジＢには、本考案の目薬点眼保補具が装着する仕組みとする。
【００１２】  この目薬点眼補助具は合成樹脂材やクッション性のあるエラストマー材等で、利用者の瞼周辺に当てる為の細長状の薄厚板状から成る箱状体の瞼当て体１で、其の箱状の底部２で、中央に位置して直立でなる筒状の連結部３が一体化し、この中空状に開口する連結体３の内側には、ネジ部３ａが切られ、目薬容器Ａの注口Ｃ部の外周に切られたキャップネジＢと整合し、取り外しの出来る構成とする。
【００１３】  そして、この連結部３と瞼当て体１とでなる瞼当て体１の開口部の長手方向での両サイドに切り込み１ｂを設けて、箱状でなる瞼当て体１の内部に外の光線を入れる等の形態にしても良い。更には、瞼に直接押し圧を受けて触れる瞼当て体１の側面はソフトで滑りにくい形態が好ましい。
【００１４】  更に、このように構成する瞼当て体１開口部の内面１ａに沿うって、やや固めに嵌め込みを自在で成る、個別のキャップ体４を使い、瞼当て体１の内部で連結部３の開口部に露出する目薬容器Ａの注口Ｃを封印する構成で、即ち、キャップ体４の中央部には注口Ｃに係合して密閉する為の栓４ａが一体化し、瞼当て体１開口部の内面１ａにキャップ体４の外輪が、程よい固さで差し込まれると同時に、栓４ａが注口Ｃを程よい固さで密閉する事で、瞼当て体１を目薬容器に装着したままの状態で、点眼前後の注口Ｃの密閉での開閉の自在を可能にした、目薬点眼保補具の構成とする。
【００１５】  次ぎに図４は本考案での第２実施例を示しての一部断面での分解斜視図で、図５は同じく、第２実施例での使用前後での保管や携帯時での一部断面での斜視図で、前記する差し込み式のキャップ体４の替わりに、ねじ込み式のキャップ体４０にし、目薬容器単体で瞼当て体１の装着無しでもキャップ体４０が注口Ｃの開閉を自在に出きる目薬点眼補助具の構成とする。
【図面の簡単な説明】
【００１６】
【図１】    本考案に係わる第１実施例に基づく一部断面での分解斜視図である。
【図２】    本考案に係わる第１実施例に基づく一部断面での組み付け斜視図である。
【図３】    本考案に係わる第１実施例に基づく一部断面での使用での正面図である。
【図４】    本考案に係わる第２実施例に基づく一部断面での分解斜視図である。
【図５】    本考案に係わる第２実施例に基づく一部断面での組み付け斜視図である。
【符合の説明】
【００１７】    Ａ        目薬容器
Ｂ        キャップネジ
Ｃ        注口
１        瞼当て体
１ａ      内面
２        底部
３        連結部
３ａ      ネジ部
３ｂ      端部
４、４０  キャップ体
４ａ，４０ａ  栓
【図１】
0003140911.tif 000003
【図２】
0003140911.tif 000004
【図３】
0003140911.tif 000005
【図４】
0003140911.tif 000006
【図５】
0003140911.tif 000007